(57)【要約】【課題】  ガムテープなどを使わなくてもふさぐことができるようにした箱を提供することである。【解決手段】  少なくとも一方の開口１３は、その開口の一の対向辺に内側折曲片１４，１５を設け、他の対向辺に外側折曲片１６，１７を設けるとともに、上記両内側折曲片の折り線１８，１９上に挿入スリット２０，２１を形成し、この挿入スリットに挿入する挿入片２６，２７を両外側折曲片の両側に設け、この挿入片の基端に引っ掛け部２６ｃ，２７ｃを設け、挿入片を挿入スリットに挿入したとき、挿入片の基端に設けた引っ掛け部が挿入スリットの両端に引っかかる構成にしている。【選択図】  図２
2005119712.tif 000002
【特許請求の範囲】
【請求項１】
箱本体は平面四角形とするとともに、上下両方の開口を、折曲片を重ね合わせてふさいでなる箱において、少なくとも一方の開口は、その開口の一の対向辺に内側折曲片を設け、他の対向辺に外側折曲片を設けるとともに、上記両内側折曲片の折り線上に挿入スリットを形成し、この挿入スリットに挿入する挿入片を両外側折曲片の両側に設け、この挿入片の基端に引っ掛け部を設け、挿入片を挿入スリットに挿入したとき、挿入片の基端に設けた引っ掛け部が挿入スリットの両端に引っかかる構成にした箱。
【請求項２】
一対の外側折曲片であって、互いに突き合わされる辺に切り欠き凹部を形成した請求項１記載の箱。
【請求項３】
上記挿入片の基端に対応する位置であって、外側折曲片の両側に切り込みを形成し、上記引っ掛け部を挿入スリットに押し込んだとき、外側折曲片が上記切り込みから持ち上がる構成にした請求項１または２記載の箱。
【発明の詳細な説明】
【技術分野】
【０００１】
この発明は、例えば、段ボール箱のように、物を搬送するのに適した箱に関する。
【背景技術】
【０００２】
従来から知られているこの種の箱は、箱本体の一方の開口に４枚の蓋片を設け、これら蓋片のうち、互いに対向する辺に設けた蓋片を突き合わせ、その外側になった２枚の蓋片をガムテープ等で接着して、上記一方の開口をふさぐようにしていた。
【０００３】
本件に関しては、従来技術がごく一般的なので、特に、先行技術文献調査をしていない。
【発明の開示】
【発明が解決しようとする課題】
【０００４】
上記のように従来の箱においては、その蓋片をガムテープ等で接着して開口をふさいでいたので、例えば、それを開けるときには、ガムテープをはがすか、あるいはそのガムテープをカットしなければならなかった。しかし、ガムテープをはがすには爪が汚れたり損傷したりするが、特に、爪を伸ばした女性の場合には、ガムテープをはがすこと自体躊躇する傾向がある。
【０００５】
この発明の目的は、ガムテープなどを使わずに蓋をすることができるとともに、その蓋が簡単には開かないという二律背反的な課題を同時に解決できる箱を提供することである。
【課題を解決するための手段】
【０００６】
この発明は、箱本体を平面四角形とするとともに、上下両方の開口を、折曲片を重ね合わせてふさいでなる箱を前提にするものである。
第１の発明は、上記箱を前提にしつつ、少なくとも一方の開口は、その開口の一の対向辺に内側折曲片を設け、他の対向辺に外側折曲片を設けるとともに、上記両内側折曲片の折り線上に挿入スリットを形成し、この挿入スリットに挿入する挿入片を両外側折曲片の両側に設け、この挿入片の基端に引っ掛け部を設け、挿入片を挿入スリットに挿入したとき、挿入片の基端に設けた引っ掛け部が挿入スリットの両端に引っかかる構成にした点に特徴を有する。
【０００７】
第２の発明は、一対の外側折曲片であって、互いに突き合わされる辺に切り欠き凹部を形成した点に特徴を有する。
【０００８】
第３の発明は、上記挿入片の基端に対応する位置であって、外側折曲片の両側に切り込みを形成し、上記引っ掛け部を挿入スリットに押し込んだとき、外側折曲片が上記切り込みから持ち上がる構成にした点に特徴を有する。
【発明の効果】
【０００９】
第１の発明によれば、一対の外側折曲片を折り曲げてその挿入片を挿入スリットに挿入することによって、その挿入片に設けた引っ掛け部が内側折曲片に引っ掛かる構成にしたので、一度引っ掛け部を引っ掛けてしまえば、それが簡単にあかなくなる。しかも、外側折曲片を強制的に開けば、引っ掛け部が破損してそれを簡単に開けることができる。つまり、従来のようにガムテープをはがしたりしなくてすむので、爪を伸ばした女性などは、その爪を傷めるような問題がいっさいなくなる。
このように第１の発明によれば、前記した二律背反的な問題を同時に解決することができる。
【００１０】
第２の発明によれば、切り欠き凹部を形成したので、この凹部に指を入れて外側折曲片を強制的に開けることができる。
【００１１】
第３の発明によれば、挿入片の基端に対応する位置であって、外側折曲片の両側に切り込みを形成し、上記引っ掛け部を挿入スリットに押し込んだとき、外側折曲片が上記切り込みから持ち上がる構成にしたので、挿入スリットに対して挿入片が奥まで挿入されるとともに、その挿入片に設けた引っ掛け部が内側折曲片に確実に引っ掛かる。したがって、外側折曲片が簡単に開いたりしない。
【発明を実施するための最良の形態】
【００１２】
図示の実施形態における箱本体Ｈは、その平面形状を四角形にしている。つまり、この箱本体Ｈは、図３の展開図に示すように４枚の側壁片１〜４を、それらの境界に設けた折り線５〜７を折り曲げて角筒状にしたものである。なお、図中符号８はノリ代で、このノリ代８を反対側の側壁片４に貼り付けることによって、上記したように角筒状の箱本体Ｈが構成される。このようにした箱本体Ｈの底面は、すでに公知の４枚の折曲片９〜１２を重ね合わせながら閉じるものである。
【００１３】
一方、開口１３（図２参照）側は、その一方の対向辺に内側折曲片１４，１５を設け、他方の対向辺に外側折曲片１６，１７を設けている。
上記内側折曲片１４，１５は、それを図２に示すように折り線１８，１９から開口側に折り曲げるようにしているが、その折り線１８，１９のほぼ中央部分には、挿入スリット２０，２１を形成している。
【００１４】
また、外側折曲片１６，１７は、折り線２２，２３から開口側に折り曲げることによって、その長辺ａ１,ａ２が互いに突き合わされるが、その長辺ａ１，ａ２がこの発明の突き合わせ辺に当たる。そして、一方の外側折曲片１６の突き合わせ辺に一対の切欠き凹部２４，２４を形成し、他方の外側折曲片１７の突き合わせ辺にも一対の切欠き凹部２５，２５を形成している。このようにした切欠き凹部２４，２５は、図１からも明らかなように、両外側折曲片１６，１７を折り曲げたとき、互いに対向する関係にしている。
【００１５】
さらに、上記一方の外側折曲片１６の両側に一対の挿入片２６，２６を設け、他方の外側折曲片１７の両側にも挿入片２７，２７を設けている。これら挿入片２６，２７は、上記長辺ａ１，ａ２に連続する円弧部２６ａ，２７ａと、この円弧部２６ａ，２７ａの先端から連続する直線部２６ｂ，２７ｂとを形成している。そして、この直線部２６ｂ，２７ｂは、挿入片２６，２７の展開状態において長辺ａ１，ａ２とほんのわずかだけ角度を保つようにしている。
【００１６】
また、上記直線部２６ｂ，２７ｂの基端すなわち挿入片２６，２７の基端には円弧状の凹部からなる引っ掛け部２６ｃ，２７ｃを設けるとともに、外側折曲片１６，１７には、上記引っ掛け部２６ｃ，２７ｃの円弧に連続する切り込み２８，２９を形成している。
上記のようにした挿入片２６，２７は、外側折曲片１６，１７を閉じるとき、図１に示すようにその外側折曲片１６，１７に対して直角にする。そして、上記のように外側折曲片１６，１７を閉じるときに、それに対して直角にした挿入片２６，２７を前記挿入スリット２０，２１に挿入するものである。
【００１７】
上記のように挿入スリット２０，２１に挿入片２６，２７を挿入することによって、挿入片２６，２７は、図４に示すように、それらの円弧部２６ａ，２７ａが挿入スリット２０，２１内で互いに対向するとともに、外側折曲片１６，１７を完全に閉じたときには、それらの長辺ａ１，ａ２が突き合わされるとともに、図４からも明らかなように、その引っ掛け部２６ｃ，２７ｃが挿入スリット２０，２１の縁から押し込まれて内側折曲片１４，１５に引っ掛かる。
【００１８】
そして、上記のように切り込み２８，２９を形成しているので、図４に示すように、挿入スリット２０，２１に挿入片２６，２７を押し込んだとき、切り込み２８，２９で段差を作りながら、挿入片２６，２７が押し込まれるとともに、その引っ掛け部２６ｃ，２７ｃが挿入スリット２０，２１の縁から押し込まれ、内側折曲片１４，１５に完全に引っ掛かることになる。もし、この切り込み２８，２９がなければ、図５に示すように、引っ掛け部２６ｃ，２７ｃが内側折曲片１４，１５にぴったりと引っ掛からなくなる可能性がでてくる。しかし、この実施形態のように切り込み２８，２９を設けておけば、引っ掛け部２６ｃ，２７ｃが、常に、内側折曲片１４，１５にぴったりと引っ掛かることになる。
【００１９】
上記のように引っ掛け部２６ｃ，２７ｃが内側折曲片１４，１５に引っ掛かれば、外側折曲片１６，１７が簡単に開くことはなくなる。
このようにした外側折曲片１６，１７を開くときには、前記切欠き凹部２４，２５に指を突っ込んで、それを強制的に持ち上げれば、上記引っ掛け部２６ｃ，２７ｃが破損するので、その外側折曲片１６，１７を開くことができる。
【００２０】
上記のようにした箱を使うためには、まず、底面側の折曲片９〜１２をその折り線３０〜３３から折り曲げながら重ね合わせて、その底面をふさぐ。
そして、底面とは反対側の開口１３を開放した状態でそこから物を入れた後、まず、内側折曲片１４，１５を折れ線１８，１９から開口１３側に折り曲げる。そして、次に、外側折曲片１６，１７を折れ線２２，２３から折り曲げるが、このときには、挿入片２６，２７を外側折曲片１６，１７に対して直角に折り曲げておく。
【００２１】
上記の状態で外側折曲片１６，１７を折り曲げつつ、その挿入片２６，２７を挿入スリット２０，２１に挿入する。そして、外側折曲片１６，１７を完全に折り曲げてその長辺ａ１，ａ２を突き合わせるとともに、挿入片２６，２７の引っ掛け部２６ｃ，２７ｃを挿入スリット２０，２１内に押し込む。このように引っ掛け部２６ｃ，２７ｃを挿入スリット２０，２１内に押し込むことによって、引っ掛け部２６ｃ，２７ｃが挿入スリット２０，２１の縁である内側折曲片１４，１５に引っ掛かる。したがって、外側折曲片１６，１７が不用意に開いたりしなくなる。
【００２２】
上記のようにして閉じた外側折曲片１６，１７を開くときには、その切欠き凹部２４，２５に指を引っ掛けて外側折曲片１６，１７を強制的に持ち上げれば、引っ掛け部２６ｃ，２７ｃが破損する。このように引っ掛け部２６ｃ，２７ｃが破損すれば、外側折曲片１６，１７を簡単に開くことができる。
【００２３】
なお、この発明の箱は、ボール紙製、段ボール製あるいは樹脂製であってもよいもので、箱形状を形成できる素材であれば、その材質は問わない。
【産業上の利用可能性】
【００２４】
この発明は、物を搬送する段ボール箱などに最適である。
【図面の簡単な説明】
【００２５】
【図１】上側折曲片をほとんど閉じた状態の斜視図である。
【図２】上側折曲片を開いた状態の斜視図である。
【図３】展開図である。
【図４】挿入片を挿入スリットに挿入した状態の説明図である。
【図５】切り込みがないときの引っ掛け部の状況を示した説明図である。
【符号の説明】
【００２６】
Ｈ                  箱本体
１３                開口
１４，１５          内側折曲片
１６，１７          外側折曲片
１８，１９          内側折曲片の折り線
２０，２１          挿入スリット
２２，２３          外側折曲片の折り線
２４，２５          切欠き凹部
２６，２７          挿入片
２６ｃ，２７ｃ      引っ掛け部
２８，２９          切り込み
【図１】
2005119712.tif 000003
【図２】
2005119712.tif 000004
【図３】
2005119712.tif 000005
【図４】
2005119712.tif 000006
【図５】
2005119712.tif 000007